(57)【要約】【課題】使用済みのエアゾール容器内の残留ガスが既に抜き出されているか否かをこの容器から離れた位置からでも一目で判別する。【解決手段】天板部１１に押圧板１４が取り外し可能に区画されるとともに、この押圧板１４を取り外すことにより天板部１１に開口部１１ａが形成され、このオーバーキャップ１０の内部には、開口部１１ａに、天板部１１から取り外された押圧板１４を、その外周縁における一端部１４ａ側から差し込んだときに、押圧板１４の外周縁における両側部にそれぞれ形成された第１係合部１５に各別に係合する一対の第２係合部１６が設けられ、これらの第１、第２係合部１５、１６を互いに係合させることにより、このオーバーキャップ１０をエアゾール容器２０に装着した状態で、押圧板１４は、その一端部１４ａがステム２２を押し下げ、かつ他端部１４ｂ側が天板部１１の表面から上方に突出した姿勢に保持されるようになっている。【選択図】図３
2008105685.tif 000002
【特許請求の範囲】
【請求項１】
上方付勢状態で立設されたステムと、このステムに取り付けられた噴霧ヘッドと、を備えたエアゾール容器に着脱可能に装着されるエアゾール容器用オーバーキャップであって、
エアゾール容器に装着した状態で前記噴霧ヘッドの上面に対向する天板部が備えられ、この天板部に押圧板が取り外し可能に区画されるとともに、この押圧板を取り外すことにより天板部に開口部が形成され、
このオーバーキャップの内部には、前記開口部に、天板部から取り外された押圧板をその外周縁における一端部側から差し込んだときに、押圧板の外周縁における両側部にそれぞれ形成された第１係合部に各別に係合する一対の第２係合部が設けられ、
これらの第１、第２係合部を互いに係合させることにより、このオーバーキャップを前記エアゾール容器に装着した状態で、前記押圧板は、前記一端部がステムを押し下げ、かつ他端部側が前記天板部の表面から上方に突出した姿勢に保持される構成とされたことを特徴とするエアゾール容器用オーバーキャップ。
【請求項２】
請求項１記載のエアゾール容器用オーバーキャップであって、
その内部に、前記一対の第２係合部を各別にこのオーバーキャップの周方向で挟む一対のガイド板がそれぞれ設けられ、天板部から取り外された押圧板を前記開口部に差し込んだときに、これらのガイド板の互いに対向する対向面同士の間を前記押圧板が通過する構成とされたことを特徴とするエアゾール容器用オーバーキャップ。
【請求項３】
請求項１または２に記載のエアゾール容器用オーバーキャップであって、
前記押圧板は平面視円形状とされて、前記第１係合部は、押圧板の外周縁において前記円形状の中心をその径方向で挟む両側部にそれぞれ形成されるとともに、この押圧板の外周縁から径方向内方に向けて凹む凹部とされ、
前記一対の第２係合部はそれぞれ、前記開口部の径方向内方に向けて突出する凸部とされるとともに、径方向で互いに対向する側面は、前記天板部側の上端から下端に向かうに従い漸次突出量が大きくなる傾斜面を備えることを特徴とするエアゾール容器用オーバーキャップ。
【請求項４】
請求項１から３のいずれかに記載のエアゾール容器用オーバーキャップであって、
前記押圧板の表面において前記第１係合部に前記一端部側で近接する近接部分には、押圧板の外周縁のうちこの近接部分の径方向外方に位置する部分を、径方向内方に向けた押圧により凹ませる変形容易部が形成されていることを特徴とするエアゾール容器用オーバーキャップ。
【請求項５】
請求項１から４のいずれかに記載のエアゾール容器用オーバーキャップであって、
前記押圧板の外周縁は、破断可能な弱化部を介して前記天板部と連結されていることを特徴とするエアゾール容器用オーバーキャップ。
【請求項６】
上方付勢状態で立設されたステム、およびこのステムに取り付けられた噴霧ヘッドを備えたエアゾール容器と、前記ステムおよび噴霧ヘッドを囲うようにこのエアゾール容器に装着されたエアゾール容器用オーバーキャップとを備えたオーバーキャップ付きエアゾール容器であって、
前記エアゾール容器用オーバーキャップが請求項１から５のいずれかに記載のエアゾール容器用オーバーキャップであることを特徴とするオーバーキャップ付きエアゾール容器。
【発明の詳細な説明】
【技術分野】
【０００１】
本発明は、エアゾール容器用オーバーキャップおよびオーバーキャップ付きエアゾール容器に関するものである。
【背景技術】
【０００２】
この種のエアゾール容器として、上方付勢状態で立設されたステムと、ステムに取り付けられた噴霧ヘッドと、を備える構成が知られている。そして近年では、需要者において、内容物を使い切った後のエアゾール容器内の残留ガスを容易に抜き出すことができるように、エアゾール容器用オーバーキャップに、例えば下記特許文献１に示されるような、このキャップをエアゾール容器に装着した状態で、噴霧ヘッドを押し下げ可能なガス抜き機構を設けることが提案されている。
【特許文献１】特開２００２−１７３１８５号公報
【発明の開示】
【発明が解決しようとする課題】
【０００３】
しかしながら、前記従来のエアゾール容器用オーバーキャップでは、残留ガスを抜き出す際に、前記残留ガス抜き機構の全体をこのキャップの内部に位置させた状態で、残留ガス抜き機構により噴霧ヘッドの上面を押し下げていたので、残留ガスを抜き出す前後でエアゾール容器用オーバーキャップの外観形状が変化せず、例えば、残留ガスを抜き出した人がこの容器を放置した後、残留ガスを抜き出した人とは別の人等がこの容器を見かけたときに、この容器から離れた位置からでは残留ガスが既に抜き出されたかどうかを判別することができないという問題があった。
【０００４】
本発明は、このような事情を考慮してなされたもので、使用済みのエアゾール容器内の残留ガスが既に抜き出されているか否かをこの容器から離れた位置からでも一目で判別することができるエアゾール容器用オーバーキャップおよびオーバーキャップ付きエアゾール容器を提供することを目的とする。
【課題を解決するための手段】
【０００５】
上記課題を解決して、このような目的を達成するために、本発明のエアゾール容器用オーバーキャップは、上方付勢状態で立設されたステムと、このステムに取り付けられた噴霧ヘッドと、を備えたエアゾール容器に着脱可能に装着されるエアゾール容器用オーバーキャップであって、エアゾール容器に装着した状態で前記噴霧ヘッドの上面に対向する天板部が備えられ、この天板部に押圧板が取り外し可能に区画されるとともに、この押圧板を取り外すことにより天板部に開口部が形成され、このオーバーキャップの内部には、前記開口部に、天板部から取り外された押圧板をその外周縁における一端部側から差し込んだときに、押圧板の外周縁における両側部にそれぞれ形成された第１係合部に各別に係合する一対の第２係合部が設けられ、これらの第１、第２係合部を互いに係合させることにより、このオーバーキャップを前記エアゾール容器に装着した状態で、前記押圧板は、前記一端部がステムを押し下げ、かつ他端部側が前記天板部の表面から上方に突出した姿勢に保持される構成とされたことを特徴とする。
この発明では、エアゾール容器内の残留ガスを抜き出すときに、第１、第２係合部が互いに係合することによって、押圧板は、その前記一端部がステムを押し下げる一方、前記他端部側が天板部の表面から上方に突出した姿勢に保持されるので、残留ガスを抜き出す前後で、押圧板の前記他端部側における前記突出の有無によりエアゾール容器用オーバーキャップの外観形状を大きく異ならせることが可能になる。したがって、残留ガスを抜き出した人がこの容器を放置した後、例えば、残留ガスを抜き出した人とは別の人等がこの容器を見かけたときに、その人がこの容器から離れた位置にいてもそこから見た外観で、残留ガスが既に抜き出されたかどうかを一目で判別することができる。
また、残留ガスを抜き出す際に、前記開口部に、天板部から取り外した押圧板を、その一端部側からこのオーバーキャップの内部に向けて差し込み、この一端部でステムを押し下げるので、例えば、押圧板を回動させて、その一端部を噴霧ヘッドの上面に摺接させつつ最下端位置に到達させてステムを押し下げる構成と比べて、その取り扱い性を向上させることができる。
【０００６】
ここで、このオーバーキャップの内部に、前記一対の第２係合部を各別にこのオーバーキャップの周方向で挟む一対のガイド板がそれぞれ設けられ、天板部から取り外された押圧板を前記開口部に差し込んだときに、これらのガイド板の互いに対向する対向面同士の間を前記押圧板が通過する構成とされてもよい。
この場合、天板部から取り外された押圧板を前記開口部に差し込んで、第１、第２係合部を互いに係合させるまでの間に、この押圧板が傾こうとしてもその表裏面を前記対向面で支持させることが可能になり、残留ガスの抜き出しを確実に行うことができる。
【０００７】
また、前記押圧板は平面視円形状とされて、前記第１係合部は、押圧板の外周縁において前記円形状の中心をその径方向で挟む両側部にそれぞれ形成されるとともに、この押圧板の外周縁から径方向内方に向けて凹む凹部とされ、前記一対の第２係合部はそれぞれ、前記開口部の径方向内方に向けて突出する凸部とされるとともに、径方向で互いに対向する側面は、前記天板部側の上端から下端に向かうに従い漸次突出量が大きくなる傾斜面を備えてもよい。
この場合、第１、第２係合部を互いに係合させる過程で、円形状とされた押圧板の外周縁において第１係合部に前記一端部側で連なる周辺部と、第２係合部の傾斜面とを引っ掛かりなく滑らかに摺接させることが可能になり、この係合を容易に行うことができる。
また、第１、第２係合部を互いに係合させて押圧板の前記一端部でステムを押し下げたときに、ステムから押圧板に作用する上方付勢力によって、前記第１係合部を画成する壁面と、第２係合部の下端面とを圧接させることが可能になり、前記噴霧ヘッドの押し下げを確実に維持することができる。
【０００８】
さらに、前記押圧板の表面のうち前記第１係合部に前記一端部側で近接する近接部分には、押圧板の外周縁においてこの近接部分の径方向外方に位置する部分を、径方向内方に向けた押圧により凹ませる変形容易部が形成されてもよい。
この場合、押圧板の前記近接部分に変形容易部が形成されているので、この押圧板を前記開口部に差し込んで第１、第２係合部を互いに係合させる過程において、第２係合部により、押圧板の外周縁のうち前記近接部分の径方向外方に位置する部分が径方向内方に向けて押圧されたときに、この部分を径方向内方に向けて凹ませることが可能になる。したがって、押圧板を前記開口部に強い力で差し込まなくても、容易に第１、第２係合部を互いに係合させることが可能になり、この係合をより一層容易に行うことができる。
【０００９】
さらにまた、前記押圧板の外周縁は、破断可能な弱化部を介して前記天板部と連結されてもよい。
この場合、天板部から取り外す前の押圧板をこの天板部に対してぐらつかせることなく安定させることができる。
【００１０】
また、本発明のオーバーキャップ付きエアゾール容器は、上方付勢状態で立設されたステム、およびこのステムに取り付けられた噴霧ヘッドを備えたエアゾール容器と、前記ステムおよび噴霧ヘッドを囲うようにこのエアゾール容器に装着されたエアゾール容器用オーバーキャップとを備えたオーバーキャップ付きエアゾール容器であって、前記エアゾール容器用オーバーキャップが、本発明のエアゾール容器用オーバーキャップであることを特徴とする。
【発明の効果】
【００１１】
この発明に係るエアゾール容器用オーバーキャップおよびオーバーキャップ付きエアゾール容器によれば、使用済みのエアゾール容器内の残留ガスが既に抜き出されているか否かをこの容器から離れた位置からでも一目で判別することができる。
【発明を実施するための最良の形態】
【００１２】
以下、図面を参照し、この発明の実施の形態について説明する。この実施形態に係るエアゾール容器用オーバーキャップ（以下、「オーバーキャップ」という）１０が装着されるエアゾール容器２０は、上端面２１に上方付勢状態でステム２２が立設されたエアゾール容器本体と、ステム２２が嵌合された導入口を有する噴霧ヘッド２３と、を備えている。また、エアゾール容器本体は、胴部２４と、この胴部２４の上端に設けられた肩部２５と、を備える容器本体の上端開口部にマウンティングカップ２６が巻き締められ、このマウンティングカップ２６の上面に前記ステム２２が上方付勢状態で立設されている。
【００１３】
オーバーキャップ１０は、上面視円形状の天板部１１と、この天板部１１の外周縁からほぼ垂下してなる筒状の肩カバー部１２と、肩カバー部１２よりも小径とされるとともに、天板部１１の裏面に垂設された嵌合筒部１３と、を備え、この嵌合筒部１３の下端開口部の内周面がマウンティングカップ２６の外周面に嵌合することにより、エアゾール容器２０に取り付けられてオーバーキャップ付きエアゾール容器が構成されている。
【００１４】
また、このオーバーキャップ付きエアゾール容器において、天板部１１の裏面が噴霧ヘッド２３の上面と対向している。図示の例では、天板部１１の裏面においてその径方向中央部が噴霧ヘッド２３の上面と対向している。さらに、肩カバー部１２の外径とエアゾール容器２０の胴部２４の外径とは同等となっている。
【００１５】
そして、本実施形態では、天板部１１に押圧板１４が取り外し可能に区画されるとともに、この押圧板１４を取り外すことにより天板部１１に開口部１１ａが形成されるようになっている。また、このオーバーキャップ１０の内部には、開口部１１ａに、天板部１１から取り外された押圧板１４を、その外周縁における一端部１４ａ側から差し込んだときに、押圧板１４の外周縁における両側部にそれぞれ形成された第１係合部１５に各別に係合する一対の第２係合部１６が設けられている。
【００１６】
図示の例では、押圧板１４は上面視円形とされるとともに、やはり上面視円形とされた天板部１１の中心と同軸上に形成されている。ここで、オーバーキャップ付きエアゾール容器の上面視において、天板部１１の前記中心と、エアゾール容器２０の径方向中央部とは一致しており、以下、これらの中心および径方向中央部を結ぶ仮想直線を中心軸線Ｏという。
なお、押圧板１４の外径は嵌合筒部１３の内径よりも小さくなっている。また、天板部１１および押圧板１４の各厚さ、つまり前記中心軸線Ｏ方向の各大きさは同等となっている。さらに、前記開口部１１ａの内径は嵌合筒部１３の内径と同等となっている。
【００１７】
ここで、第１係合部１５は、押圧板１４の外周縁において前記中心軸線Ｏをその径方向で挟む両側部にそれぞれ形成されるとともに、この押圧板１４の外周縁から径方向内方に向けて凹む凹部とされている。図示の例では、第１係合部１５は、押圧板１４の厚さ方向に貫通するとともに、径方向外方に開口しており、押圧板１４の前記一端部１４ａ側に位置されて、この押圧板１４の外周縁からその径方向内方に向けて延びる第１壁面１５ａと、この第１壁面１５ａから押圧板１４の他端部１４ｂ側に離れて位置され、この第１壁面１５ａと平行に延びる第２壁面１５ｂと、これらの第１、第２壁面１５ａ、１５ｂをつなぐ第３壁面１５ｃとにより画成されている。
【００１８】
一対の第２係合部１６はそれぞれ、天板部１１に形成された前記開口部１１ａの径方向内方に向けて突出する凸部とされるとともに、径方向で互いに対向する側面は、天板部１１側の上端から下端に向かうに従い漸次突出量が大きくなる傾斜面１６ａを備えている。本実施形態では、第２係合部１６は、嵌合筒部１３の内周面において、前記中心軸線Ｏをその径方向で挟んだ互いに対向する位置にそれぞれ突設されている。
【００１９】
さらに図示の例では、第２係合部１６の側面は、傾斜面１６ａの下端に連設されるとともに、前記中心軸線Ｏ方向に沿って下方に向けて延びる鉛直面１６ｂを備えている。そして、この第２係合部１６は、鉛直面１６ｂの下端に連設されるとともに、嵌合筒部１３の内周面に直交する方向においてその径方向内方に向けて延びる圧接面（下端面）１６ｃを備えている。なお、第２係合部１６は、嵌合筒部１３の内周面に一体に連結されている。
【００２０】
また、本実施形態では、嵌合筒部１３の内周面に、一対の第２係合部１６を各別にこのオーバーキャップ１０の周方向で挟む一対のガイド板１７がそれぞれ一体に連結されている。この一対のガイド板１７のそれぞれにおいて、互いに対向する対向面１７ａ同士の間隔は、押圧板１４の厚さと同等となっている。図示の例では、一対のガイド板１７は、第２係合部１６と一体となって形成されている。また、ガイド板１７は、嵌合筒部１３の内周面において上端開口位置から下方に向けて延設され、この延在方向中央部に第２係合部１６が設けられている。
【００２１】
さらに、押圧板１４の外周縁は、破断可能なブリッジ（弱化部）１９を介して天板部１１と連結されている。図示の例では、ブリッジ１９は、押圧板１４の外周縁において、第１係合部１５が形成された位置を除いた位置に、前記中心軸線Ｏ回りに等間隔をあけて４つ設けられている。また、ブリッジ１９は、その厚さ、つまり前記中心軸線Ｏ方向の大きさが、天板部１１および押圧板１４の各厚さよりも小さくなっている。さらに、押圧板１４がブリッジ１９により天板部１１に連結された状態で、押圧板１４およびブリッジ１９の各表面と、天板部１１の表面との間には、図１に示されるようにほぼ段差がなく、このオーバーキャップ１０を径方向外方から見た外観形状は従来品とほぼ同様となっている。
【００２２】
なお、図示の例では、押圧板１４の前記他端部１４ｂ側の部分に、残留ガスを現在抜き出している、あるいは残留ガスを既に抜いたことを示す文字や表示が、印刷、転写あるいは凹設等の適宜手段で形成されている。
【００２３】
次に、以上のように構成されたオーバーキャップ１０を用いて、エアゾール容器２０内の残留ガスを抜き出す方法について説明する。
まず、オーバーキャップ１０をエアゾール容器２０に嵌合した状態、またはエアゾール容器２０からオーバーキャップ１０を外した状態で、押圧板１４を押圧してブリッジ１９を破断し、この押圧板１４を天板部１１から取り外して天板部１１に開口部１１ａを形成する。
【００２４】
そして、この押圧板１４を、その外周縁における一端部１４ａ側から前記開口部１１ａに差し込み、ガイド板１７の対向面１７ａ同士の間を通過させつつ、第２係合部１６の側面のうち少なくとも鉛直面１６ｂを第１係合部１５内に進入させることにより、第１、第２係合部１５、１６を互いに係合させる。
以上より、このオーバーキャップ１０をエアゾール容器２０に嵌合した状態で、押圧板１４は、前記一端部１４ａが噴霧ヘッド２３の上面を押し下げ、かつ他端部１４ｂ側が天板部１１の表面から上方に突出した姿勢に保持されるようになっている。
【００２５】
以上説明したように本実施形態に係るオーバーキャップ１０によれば、エアゾール容器２０内の残留ガスを抜き出すときに、第１、第２係合部１５、１６が互いに係合することによって、押圧板１４は、その前記一端部１４ａが噴霧ヘッド２３の上面を押し下げる一方、前記他端部１４ｂ側が天板部１１の表面から上方に突出した姿勢に保持されるので、残留ガスを抜き出す前後で、押圧板１４の前記他端部１４ｂ側における前記突出の有無によりエアゾール容器用オーバーキャップ１０の外観形状を大きく異ならせることが可能になる。したがって、残留ガスを抜き出した人がこの容器を放置した後、例えば、残留ガスを抜き出した人とは別の人等がこの容器を見かけたときに、その人がこの容器から離れた位置にいてもそこから見た外観で、残留ガスが既に抜き出されたかどうかを一目で判別することができる。
【００２６】
また、残留ガスを抜き出す際に、開口部１１ａに、天板部１１から取り外した押圧板１４を、その一端部１４ａ側からこのオーバーキャップ１０の内部に向けて差し込み、この一端部１４ａで噴霧ヘッド２３の上面を押し下げるので、例えば、押圧板を回動させて、その一端部を噴霧ヘッド２３の上面に摺接させつつ最下端位置に到達させてステムを押し下げる構成と比べて、その取り扱い性を向上させることができる。
【００２７】
さらに、本実施形態では、このオーバーキャップ１０の内部に、一対の第２係合部１６を各別にこのオーバーキャップ１０の周方向で挟む一対のガイド板１７がそれぞれ設けられているので、天板部１１から取り外された押圧板１４を前記開口部１１ａに差し込んで、第１、第２係合部１５、１６を互いに係合させるまでの間に、この押圧板１４が傾こうとしてもその表裏面を前記対向面１７ａで支持させることが可能になり、残留ガスの抜き出しを確実に行うことができる。
【００２８】
また、本実施形態では、押圧板１４が平面視円形とされるとともに、第２係合部１６の側面が傾斜面１６ａを備えているので、第１、第２係合部１５、１６を互いに係合させる過程で、円形状とされた押圧板１４の外周縁において第１係合部１５に前記一端部１４ａ側で連なる周辺部１４ｃと、第２係合部１６の傾斜面１６ａとを引っ掛かりなく滑らかに摺接させることが可能になり、この係合を容易に行うことができる。
【００２９】
さらに、第１、第２係合部１５、１６を互いに係合させて押圧板１４の前記一端部１４ａで噴霧ヘッド２３の上面を押し下げたときに、ステム２２から押圧板１４に作用する上方付勢力によって、第１係合部１５を画成する第１壁面１５ａと、第２係合部１６の圧接面１６ｃとを圧接させることが可能になり、噴霧ヘッド２３の押し下げを確実に維持することができる。
【００３０】
さらに、本実施形態では、押圧板１４の外周縁が、破断可能なブリッジ１９を介して天板部１１と連結されているので、天板部１１から取り外す前の押圧板１４をこの天板部１１に対してぐらつかせることなく安定させることができる。
また、押圧板１４に、残留ガスを現在抜き出している、あるいは残留ガスを既に抜いたことを示す文字や表示が、印刷、転写あるいは凹設等の適宜手段で形成されているので、使用済みのエアゾール容器２０内の残留ガスが既に抜き出されているか否かをより一層容易に判別させることができる。
【００３１】
また、前記実施形態では、第２係合部１６が嵌合筒部１３の内周面に一体に連結されているので、押圧板１４の前記一端部１４ａで噴霧ヘッド２３の上面を押し下げたときに、第２係合部１６の圧接面１６ｃに押圧板１４を介してステム２２からの押上げ力が作用しても、第２係合部１６が嵌合筒部１３から外れるのを防ぐことが可能になり、残留ガスを抜き出す過程で前記押し下げが解除されるのを防ぐことができるとともに、このエアゾール容器用オーバーキャップ１０の部品点数を現行同等に維持することが可能になり、製造コストを抑えることもできる。さらにまた、第２係合部１６の側面が傾斜面１６ａを備えているので、ステム２２からの押上げ力によって、この第２係合部１６が上方に向けて変形するのを防ぐことが可能になり、噴霧ヘッド２３の押し下げを一層確実に維持することができる。
【００３２】
なお、本発明の技術的範囲は前記実施の形態に限定されるものではなく、本発明の趣旨を逸脱しない範囲において種々の変更を加えることが可能である。
例えば、第１、第２係合部１５、１６は、前記実施形態のものに限らず、押圧板１４の両側部に形成された第１係合部を凸部とし、オーバーキャップ１０の内部に設けられた第２係合部を凹部としてもよい。
【００３３】
また、前記実施形態では、押圧板１４を平面視円形としたが、これに限らず、例えば矩形や多角形等としてもよい。
さらに、前記実施形態では、押圧板１４を、ブリッジ１９を介して天板部１１に連結させたが、ブリッジ１９は設けなくてもよい。さらにまた、このブリッジ１９に代えて、押圧板１４を、この押圧板１４や天板部１１よりも厚さが薄い薄肉部（弱化部）で囲繞することによって、天板部１１に押圧板１４を区画するようにしてもよい。
また、前記実施形態では、第２係合部１６の側面に傾斜面１６ａを備えさせたが、これに代えて、例えばこの傾斜面１６ａは設けず、この側面全体を鉛直面１６ｂで構成してもよい。
【００３４】
さらに、前記実施形態では、押圧板１４の前記一端部１４ａで噴霧ヘッド２３の上面を押し下げたが、これに代えて、例えば噴霧ヘッド２３をステム２２から取り外して、このステム２２の開口端面を押圧板１４の前記一端部１４ａで押圧して押し下げてもよい。
さらにまた、前記実施形態では、オーバーキャップ１０の嵌合筒部１３の下端開口部がエアゾール容器２０の上端部に嵌合することにより、このキャップ１０がエアゾール容器２０に装着される構成を示したが、これに代えて、例えば、オーバーキャップ１０およびエアゾール容器２０にそれぞれ形成された雄ねじ部と雌ねじ部とが互いに螺合することにより、オーバーキャップ１０がエアゾール容器２０に装着される構成を採用してもよい。
また、エアゾール容器２０およびオーバーキャップ１０の横断面形状は図示した円形に限らず、例えば多角形等であってもよい。
【００３５】
さらに、前記実施形態の押圧板１４に代えて、図４に示されるように、押圧板３０の表面において第１係合部１５に前記一端部１４ａ側で近接する近接部分に、押圧板３０の外周縁のうちこの近接部分の径方向外方に位置する部分を、径方向内方に向けた押圧により凹ませる変形容易部３１が形成されてもよい。図示の例では、変形容易部３１は、押圧板３０の表面において、第１係合部１５を周方向で挟んだ両側にそれぞれ形成されており、合計４つ形成されている。また、各変形容易部３１は、押圧板３０の外周縁に沿って延びる厚さ方向に貫通した長穴とされ、その両周端部３１ａ、３１ｂは押圧板３０の外周縁に開口しないで閉じている。
【００３６】
この押圧板３０では、押圧板３０を前記開口部１１ａに差し込んで第１、第２係合部１５、１６を互いに係合させる過程において、第２係合部１６の側面により、押圧板３０の外周縁のうち変形容易部３１の径方向外方に位置する部分が径方向内方に向けて押圧されたときに、この部分を、図５に示されるように径方向内方に向けて凹ませることが可能になる。したがって、押圧板３０を前記開口部１１ａに強い力で差し込まなくても、容易に第１、第２係合部１５、１６を互いに係合させることが可能になり、この係合をより一層容易に行うことができる。
【００３７】
なお、図４および図５に示した変形容易部３１に代えて、例えば押圧板３０の外周縁に沿って延びる凹溝を採用してもよく、また、凹溝若しくは貫通孔を押圧板３０の外周縁に沿って点在させることによって変形容易部を構成するようにしてもよい。
さらに、各変形容易部３１の両周端部３１ａ、３１ｂをともに、押圧板３０の外周縁に開口させないで閉じたが、これに代えて、例えば、両周端部３１ａ、３１ｂのうち、少なくとも第１係合部１５側に位置する第１周端部３１ａを押圧板３０の外周縁に開口させなければ、この第１周端部３１ａと反対側に位置する第２周端部３１ｂは開口させてもよい。
さらにまた、図４および図５では、変形容易部３１を４つ形成したが、この変形容易部３１を、押圧板３０の表面において、２つの第１係合部１５のうちのいずれか一方に前記一端部１４ａ側で近接する近接部分にのみ一箇所形成すれば、その他の変形容易部の形成位置や個数は、図４および図５で示した実施形態に限られるものではなく、また前記その他の変形容易部は形成しなくてもよい。
【産業上の利用可能性】
【００３８】
使用済みのエアゾール容器内の残留ガスが既に抜き出されているか否かをこの容器から離れた位置からでも一目で判別することができる。
【図面の簡単な説明】
【００３９】
【図１】本発明に係る一実施形態として示したオーバーキャップ付きエアゾール容器を示す一部縦断面図である。
【図２】図１に示すエアゾール容器用オーバーキャップの上面図である。
【図３】図１に示すオーバーキャップ付きエアゾール容器において、天板部から取り外した押圧板を天板部の開口部に差し込んで、残留ガスを抜き出している状態を示す一部縦断面図である。
【図４】本発明に係る他の実施形態として示したエアゾール容器用オーバーキャップの上面図である。
【図５】図４に示すエアゾール容器用オーバーキャップを有するオーバーキャップ付きエアゾール容器において、天板部から取り外した押圧板を天板部の開口部に差し込んで、第１係合部に第２係合部を係合する途中を示す一部縦断面図である。
【符号の説明】
【００４０】
１０、３０  エアゾール容器用オーバーキャップ
１１  天板部
１１ａ  開口部
１４  押圧板
１４ａ  押圧板の一端部
１４ｂ  押圧板の他端部
１５  第１係合部
１６  第２係合部
１６ａ  傾斜面
１７  ガイド板
１７ａ  対向面
１９  ブリッジ（弱化部）
２０  エアゾール容器
２２  ステム
２３  噴霧ヘッド
３１  変形容易部
【図１】
2008105685.tif 000003
【図２】
2008105685.tif 000004
【図３】
2008105685.tif 000005
【図４】
2008105685.tif 000006
【図５】
2008105685.tif 000007